(57)【要約】【課題】映像の表示領域を大きくしつつも、調光時においても透明領域を確保できる表示装置を実現する。【解決手段】透明基材２と、複数の画素を構成するＯＬＥＤ層５と、ＯＬＥＤ層５に対して重畳配置され、独立して作動可能な複数の調光部８とを有してなる表示部１０を備える表示装置において、調光部８は、表示部１０のうち複数の画素が配置された領域と重畳した位置に配置されている。これにより、画素と連動して調光部が作動した場合には、コントラストが向上して表示品位が高くなるが、複数の調光部のうち一部の調光部を作動させないことで透明領域を確保でき、ユーザが外界を視認できる。【選択図】図５
2020154183.tif 000002
【特許請求の範囲】
【請求項１】
移動体（Ｖ）のうち透明部材（Ｖ１）と重畳して配置され、各種の映像を表示する透明な表示装置であって、
透明基材（２）と、前記透明基材上に配置され、ＯＬＥＤを有してなる複数の画素（ＭＰ）を構成するＯＬＥＤ層（５）と、通電により可視光透過率が非通電時よりも小さくなり、前記ＯＬＥＤ層に対して重畳配置される複数の調光部（８）と、を有してなる表示部（１０）と、
前記複数の調光部の駆動制御を行う制御部（１１）と、を備え、
前記複数の調光部は、互いに独立して作動可能であると共に、前記表示部のうち少なくとも前記複数の画素が配置された領域と重畳する位置に配置されている、表示装置。
【請求項２】
前記調光部は、前記透明基材のうち前記複数の画素の側の一面（２ａ）とは反対側の他面（２ｂ）上に配置されると共に、前記透明基材の前記一面上に積層された前記ＯＬＥＤ層を含む部分を映像表示部として、前記映像表示部と前記透明基材を共有している、請求項１に記載の表示装置。
【請求項３】
前記複数の画素は、発光色の異なる複数の副画素（ＳＰ１〜ＳＰ３）を有してなり、
前記副画素は、前記ＯＬＥＤにより光が生じる発光領域（ＳＰ１ａ〜ＳＰ３ａ）と、前記ＯＬＥＤが配置されていない光透過領域（ＳＰ１ｂ〜ＳＰ３ｂ）とを有してなり、
前記調光部は、前記透明基材のうち前記光透過領域と重畳する位置に配置されている、請求項２に記載の表示装置。
【請求項４】
前記表示部は、前記複数の画素および前記調光部が作動できない第１領域（１０１）と、前記複数の画素のみが作動可能な第２領域（１０２）と、前記複数の画素および前記調光部が作動可能な第３領域（１０３）とを有してなり、
前記第２領域は、前記第１領域を囲んでおり、
前記第３領域は、前記第２領域を隔てた前記第１領域の外側の位置である、請求項１ないし３のいずれか１つに記載の表示装置。
【請求項５】
前記移動体は、車両であり、
前記透明部材は、ウィンドシールドである、請求項１ないし４のいずれか１つに記載の表示装置。
【発明の詳細な説明】
【技術分野】
【０００１】
本発明は、有機発光ダイオード（ＯＬＥＤ）を備える表示部と外部からの光の透過率を調整する調光部とを有し、全体として透明な構成とされた表示装置に関する。
【背景技術】
【０００２】
この種の表示装置としては、例えば特許文献１に記載のものが挙げられる。特許文献１に記載の表示装置は、各種の映像を表示する透明ＥＬ（エレクトロルミネッセンス）表示器と、正面視にて当該透明ＥＬ表示器と重畳すると共に、隙間を隔てて配置された調光板とを備える。この表示装置は、調光板がエレクトロクロミック素子を有してなり、通電によって可視光透過率が調整可能な構成とされており、車両用のヘッドアップディスプレイ（ＨＵＤ）装置等に適用される。そして、この表示装置は、必要に応じて、この調光板の可視光透過率を低下させる調光制御により、透明ＥＬ表示器の背面側からの外光を遮ることで、コントラストを向上させ、透明ＥＬ表示器における表示品位を高めることができる。
【先行技術文献】
【特許文献】
【０００３】
【特許文献１】特開２００４−２７１８３０号公報
【発明の概要】
【発明が解決しようとする課題】
【０００４】
ところで、近年、自動車等の移動体に搭載される表示装置において、表示品位を高めつつ、従来のＨＵＤ装置による映像表示領域よりも大きな表示領域を実現したいとのニーズが存在する。特許文献１に記載の表示装置において、このニーズに応えるためには、透明ＥＬ表示器および調光板を大面積化することが考えられる。
【０００５】
しかしながら、特許文献１に記載の表示装置を構成する調光板は、その全体の可視光透過率を調整できるものの、部分的な可視光透過率の調整ができない構成である。そのため、この表示装置は、調光板の可視光透過率を下げた場合には、運転者が調光板よりも前方を見ることができず、安全運転の妨げとなってしまう。
【０００６】
また、上記の表示装置は、透明ＥＬ表示器と調光板とが別体とされ、距離を隔てて配置されているため、透明ＥＬ表示器と調光板とを合わせた全体の厚みが大きく、構成する部品数が多い。
【０００７】
本発明は、上記の点に鑑み、調光制御が可能な調光部を備え、表示領域を大きくしつつも、調光部が作動中においても所定の透明領域を有し、調光部よりも前方の外界の視野を確保できる表示装置を提供することを第１の目的とする。また、調光部を含めた全体の厚みが薄く、部品点数の少ない表示装置を提供することを第２の目的とする。
【課題を解決するための手段】
【０００８】
上記目的を達成するため、請求項１に記載の表示装置は、移動体（Ｖ）のうち透明部材（Ｖ１）と重畳して配置され、各種の映像を表示する透明な表示装置であって、透明基材（２）と、透明基材上に配置され、ＯＬＥＤを有してなる複数の画素（ＭＰ）を構成するＯＬＥＤ層（５）と、通電により可視光透過率が非通電時よりも小さくなり、ＯＬＥＤ層に対して重畳配置される複数の調光部（８）と、を有してなる表示部（１０）と、複数の調光部の駆動制御を行う制御部（１１）と、を備え、複数の調光部は、互いに独立して作動可能であると共に、表示部のうち少なくとも複数の画素が配置された領域と重畳する位置に配置されている。
【０００９】
これにより、複数の画素を構成するＯＬＥＤ層と、互いに独立して作動可能とされ、ＯＬＥＤ層に対して重畳配置された複数の調光部とを備え、調光部が複数の画素が配置された領域と重畳する配置とされた透明な表示装置となる。そのため、複数の調光部のうち一部を部分的に作動可能とすることで、表示領域を大きくしつつも、所定の透明領域を有し、外界の視界を確保でき、コントラストの向上により表示品位の高い表示装置となる。
【００１０】
なお、各構成要素等に付された括弧付きの参照符号は、その構成要素等と後述する実施形態に記載の具体的な構成要素等との対応関係の一例を示すものである。
【図面の簡単な説明】
【００１１】
【図１】第１実施形態の表示装置が車両に搭載された様子を示す図である。
【図２】第１実施形態の表示装置を示す平面図である。
【図３】表示部のうち図２中のIIIの領域を拡大して示す平面図である。
【図４】図３中のIV-IV間の断面構成の一例を示す断面図である。
【図５】図３中のV-V間の断面構成の一例を示す断面図である。
【図６】ＯＬＥＤによる光の透過、調光部の作動有無による外光の透過および遮蔽の様子を示す図である。
【図７】第１領域、第２領域、および第３領域による表示部の区画例を示す図である。
【図８】第１実施形態の表示装置の変形例を示す図である。
【発明を実施するための形態】
【００１２】
以下、本発明の実施形態について図に基づいて説明する。なお、以下の各実施形態相互において、互いに同一もしくは均等である部分には、同一符号を付して説明を行う。
【００１３】
（第１実施形態）
第１実施形態の表示装置１について、図１〜図７を参照して説明する。図３では、後述する画素、すなわちメインピクセルＭＰ同士の境界を便宜的に破線で示している。図４、図５では、構成を分かり易くして理解を助けるため、厚みや寸法などを誇張してデフォルメしたものを示している。
【００１４】
本実施形態の表示装置１は、図１に示すように、移動体の透明部材、例えば自動車等の車両ＶのウィンドシールドＶ１と重畳して配置されるウィンドシールドディスプレイに適用されると好適であるが、勿論、他の用途にも適用され得る。例えば、表示装置１は、ウィンドシールドＶ１のほか、サイドウィンドウやリアウィンドウ等の他の透明部材上に配置されることもでき、用途に応じて搭載される位置が適宜変更される。本実施形態では、ウィンドシールドディスプレイに適用された場合の表示装置１について説明する。
【００１５】
なお、ここでいう「透明部材と重畳して配置される」とは、透明部材上に光学接着剤等を介して貼り付けられる場合だけでなく、透明部材と距離を隔てて配置される場合をも含む。
【００１６】
本実施形態の表示装置１は、図１に示すように、車両ＶのウィンドシールドＶ１に搭載される表示部１０と、表示部１０の駆動を制御する制御部１１とを備える。表示装置１は、例えば図２に示すように、全体として透明な構成とされた表示部１０のうち後述する薄膜トランジスタ（ＴＦＴ）を構成するＴＦＴ層４に接続される配線Ｗ１、調光部８のうち後述する透明下部電極８２に接続される配線Ｗ２とを備える。表示装置１は、配線Ｗ１、Ｗ２を介して不図示の外部電源に接続され、映像の表示と共に、後述する調光部８により表示部１０のうち一部の領域における可視光透過率の制御、すなわち調光制御が可能な構成とされている。
【００１７】
なお、配線Ｗ１は、例えば、ＴＦＴ層４のうち後述するＯＬＥＤ層５の駆動制御用のＴＦＴ及び調光部８の駆動制御用ＴＦＴから外部に延設された不図示の配線に接続され、ＯＬＥＤ層５の駆動に用いられる。配線Ｗ２は、例えば、調光部８を構成する後述する透明下部電極８２から外部に延設された不図示の配線に接続され、調光部８の駆動に用いられる。配線Ｗ１、Ｗ２は、ＦＰＣなどのフレキシブル配線とされ得る。
【００１８】
表示部１０は、例えば可撓性のあるフィルム状とされ、本実施形態では、ウィンドシールドＶ１に任意の光学接着剤等により貼り付けられることで、ウィンドシールドＶ１の曲面形状に追従した所定の曲面形状とされた状態で使用される。表示部１０は、例えば、制御部１１を介して不図示の他の車載装置等に接続されており、各種の映像を表示する。
【００１９】
表示部１０は、例えば、透明ＯＬＥＤフィルムとされ、図３に示すように、発光色の異なる３つの副画素、すなわちサブピクセルＳＰ１〜ＳＰ３により構成されたメインピクセルＭＰを複数備える。表示部１０は、例えば図３の紙面左右方向を横方向とし、横方向と交差する方向を縦方向として、メインピクセルＭＰが縦方向および横方向それぞれに沿って繰り返して複数配列された構成とされる。サブピクセルＳＰ１〜ＳＰ３は、ＯＬＥＤおよびその駆動制御用の薄膜トランジスタ（ＴＦＴ）を有してなる発光領域ＳＰ１ａ〜ＳＰ３ａと、その他の非発光領域ＳＰ１ｂ〜ＳＰ３ｂとを有してなる。非発光領域ＳＰ１ｂ〜ＳＰ３ｂは、発光領域ＳＰ１ａ〜ＳＰ３ａよりも可視光透過率が高い透明な領域とされている。
【００２０】
非発光領域ＳＰ１ｂ〜ＳＰ３ｂは、少なくとも後述する調光部８が非作動時（非調光時）には、第３透明基材８１側からの可視光を第２透明基材７側に透過させる領域である。以下の説明においては、必要に応じて、これらの非発光領域ＳＰ１ｂ〜ＳＰ３ｂを「光透過領域」と称する。
【００２１】
表示部１０は、例えば、各サブピクセルＳＰ１〜ＳＰ３における光透過領域の占める割合が適宜調整されることにより、全体として可視光透過率が高い構成とされる。例えば、限定するものではないが、表示部１０は、ウィンドシールドＶ１に貼り付けられた状態において、ウィンドシールドＶ１を含めた全体の可視光透過率が７０％以上とされる。
【００２２】
表示部１０は、例えば図４に示すように、発光領域ＳＰ１ａ〜ＳＰ３ａにおいては、第１透明基材２の一面２ａ上にバリア層３、ＴＦＴ層４、ＯＬＥＤ層５がこの順に積層され、ＯＬＥＤ層５上に接着材６を介して第２透明基材７が貼り付けられた構成とされる。表示部１０は、例えば図５に示すように、光透過領域においては、ＴＦＴ層４およびＯＬＥＤ層５のうち可視光透過率の低い部分が形成されていない構成とされている。表示部１０は、図５に示すように、第１透明基材２のうち一面２ａとは反対側の他面２ｂ側に調光部８が配置されている。この調光部８については、後述する。
【００２３】
なお、ＴＦＴ層４およびＯＬＥＤ層５を挟持する透明基材２、７は、本実施形態では、ウィンドシールドＶ１などの曲面に追従して貼り合わせることができるよう、可撓性のある任意の透明樹脂材料によりなる。これらの透明基材２、７は、同一の材料で構成されてもよいし、異なる材料で構成されてもよい。また、ＯＬＥＤ層５上に配置される接着材６は、任意の光学接着剤とされる。
【００２４】
ＴＦＴ層４は、例えば図４に示すように、水分透過率が小さく透明な酸化物等の任意の材料によりなるバリア層３上に形成されている。ＴＦＴ層４は、半導体層４１、ゲート絶縁層４２、ゲート電極４３、層間絶縁層４４、ドレイン電極４５およびソース電極４６、平坦化層４７がこの順にバリア層３上に積層されてなる。ＴＦＴ層４は、ドレイン電極４５およびソース電極４６が半導体層４１と配線接続されると共に、ソース電極４６が絶縁性材料によりなる平坦化層４７上に形成されたＯＬＥＤ層５の下部電極５１に層間配線を介して接続されている。ＴＦＴ層４は、不図示の内部配線によりゲート電極４３に所定の電圧を印加可能な構成とされている。ＴＦＴ層４は、ゲート電極４３への電圧印加により、半導体層４１でのキャリア移動を生じさせ、ソース電極４６を介してＯＬＥＤ層５の下部電極５１に電流を供給することで、ＯＬＥＤ層５の駆動制御を行う。
【００２５】
なお、ＴＦＴ層４の各構成要素は、それぞれＴＦＴに用いられる公知の材料により構成され、任意の方法により形成される。また、ＴＦＴ層４は、図４に示した例に限られず、他の公知の構造が採用されてもよい。
【００２６】
ＯＬＥＤ層５は、平坦化層４７上に下部電極５１、隔壁５２および機能層５３、上部電極５４、封止層５５がこの順に積層された構成とされている。ＯＬＥＤ層５は、少なくとも上部電極５４および封止層５５が透明材料で構成されており、一対の電極５１、５４間の電流印加により機能層５３のうち発光層を発光させ、この光を上部電極５４側に透過させる構成とされる。機能層５３は、隔壁５２により区画されると共に、一対の電極５１、５４のうち陽極側から順に、例えば、公知のＯＬＥＤ材料によりなる正孔注入層、正孔輸送層、発光層、電子輸送層、電子注入層がこの順で積層された構成とされる。言い換えると、一対の電極５１、５４と隔壁５２により区画された個々の機能層５３とがサブピクセルＳＰ１〜ＳＰ３をなしており、ＯＬＥＤ層５は、複数の画素を構成している。
【００２７】
なお、ＯＬＥＤ層５の各構成要素は、それぞれＯＬＥＤに用いられる公知の材料により構成され、任意の方法により形成される。また、機能層５３は、上記の構成例に限られず、正孔ブロック層や電子ブロック層などを有する構成とされてもよいし、他の公知の構成が採用されてもよい。さらに、サブピクセルＳＰ１〜ＳＰ３の発光色は、限定するものではないが、例えば赤、青、緑とされる。
【００２８】
調光部８は、例えば図５に示すように、第３透明基材８１、透明下部電極８２、調光層８３、接着材８４、透明上部電極８５がこの順に積層されてなり、第１透明基材２の他面２ｂ側においてＯＬＥＤ層５と重畳配置されている。言い換えると、調光部８は、第１透明基材２の一面２ａ上に積層されたＴＦＴ層４、ＯＬＥＤ層５等をまとめて「映像表示部」と称した場合に、映像表示部と第１透明基材２を共有する構成とされている。
【００２９】
第３透明基材８１は、本実施形態では、可撓性のある任意の透明樹脂材料によりなる。
【００３０】
透明下部電極８２は、透明上部電極８５と対をなす電極であり、例えばＩＴＯ（酸化インジウム錫）やＩＺＯ（酸化インジウム亜鉛）などの任意の透明電極材料により構成される。透明下部電極８２は、例えば図４や図５に示すように、ＯＬＥＤ層５のうちサブピクセルＳＰ１〜ＳＰ３、ひいてはメインピクセルＭＰを構成する部分と重畳する配置とされている。透明下部電極８２は、例えば、各サブピクセルＳＰ１〜ＳＰ３に対応して複数形成される透明上部電極８５に対して、１つのみ形成され、複数の透明上部電極８５に対する共通電極とされる。つまり、透明下部電極８２は、いわゆるベタ電極とされる。
【００３１】
調光層８３は、一対の電極８２、８５間に配置され、電界が印加された時（通電時）には、電界が印加されていない時（非通電時）よりもその可視光透過率が小さくなるものであり、非発光領域ＳＰ１ｂにおける可視光透過率の調整に用いられる。つまり、調光層８３は、一対の電極８２、８５と共にエレクトロクロミック素子を構成する。調光層８３は、例えば、ＷＯ３、ＭｏＯ３、ＴｉＯ２などの任意のエレクトロクロミック材料により構成され得る。なお、調光層８３は、一対の電極８２、８５への通電時に可視光透過率が低下する構成とされていればよく、任意の液晶材料などにより構成されてもよい。
【００３２】
接着材８４は、調光層８３と第１透明基材２とを接着するものであり、任意の光学接着剤により構成される。
【００３３】
透明上部電極８５は、各サブピクセルＳＰ１〜ＳＰ３のうち非発光領域ＳＰ１ｂ〜ＳＰ３ｂに対応して、分割された配置とされており、透明下部電極８２と同様の材料により構成される。透明上部電極８５は、例えば図５に示すように、非発光領域ＳＰ１ｂに配置されると共に、ＴＦＴ層４のうちソース電極４６に接続され、個々のサブピクセルＳＰ１〜ＳＰ３の駆動に対応して電圧が印加される構成とされる。具体的には、例えば図５に示すように、１つの発光領域ＳＰ１ａにＯＬＥＤを駆動するためのＴＦＴ素子と、当該ＴＦＴ素子の駆動に対応して作動する別のＴＦＴ素子を配置し、当該別のＴＦＴ素子のソース電極４６に透明上部電極８５を層間配線により接続する。このような構成とされることで、サブピクセルＳＰ１〜ＳＰ３ごとに対応する調光部８を、発光領域ＳＰ１ａ〜ＳＰ３ａに連動して作動させることが可能な構成となる。
【００３４】
つまり、調光部８は、１つの共通電極とされた透明下部電極８２と、複数の透明上部電極８５とにより調光層８３を挟んだ構成とされ、複数形成されると共に、ＯＬＥＤ層５の駆動に合わせた電圧印加が可能な構成とされている。そのため、調光部８は、互いに独立して作動可能とされ、サブピクセル単位での調光制御が可能となっている。
【００３５】
制御部１１は、例えば、表示部１０を駆動するための駆動回路を備える不図示の基板上に、不図示のＲＯＭやＲＡＭなどの記憶媒体、およびＣＰＵなどが搭載されてなり、ＥＣＵ（Electronic Control Unitの略）等の電子制御ユニットを構成する。制御部１１は、例えば、表示部１０に接続されると共に、他の車載装置等からの映像信号が入力されると、不図示のＣＰＵが記憶媒体に予め格納された各種プログラムを読み込んで実行し、表示部１０の駆動条件を制御する構成とされる。
【００３６】
なお、制御部１１は、例えば、ＣＡＮ（Controller Area Networkの略、登録商標）やＬＩＮ（Local Interconnect Networkの略）等の不図示の任意の車内通信ネットワークを介して、他の車載装置やその制御用の車体ＥＣＵ等に接続される。他の車載装置としては、例えば、ナビゲーション装置、車載カメラ、道路交通情報システム等が挙げられるが、これらに限定されない。
【００３７】
以上が、本実施形態の表示装置１の基本的な構成である。
【００３８】
次に、調光部８による調光制御について、図６を参照して説明する。
【００３９】
調光部８は、図６に示すように、個々のサブピクセルＳＰ１〜ＳＰ３における光透過領域に配置されており、ＯＬＥＤ層５の駆動に合わせて電極８２、８５間に電圧を印加でき、外光の透過度合いを制御可能な構成とされている。具体的には、調光部８に電圧が印加されていない時、すなわち非調光時には、調光層８３の可視光透過率が高い状態であるため、第３透明基材８１側から入射する外光は、第２透明基材７側へ透過できる。一方、調光部８に電圧が印加された時、すなわち調光時には、調光層８３の可視光透過率が低い状態となり、第３透明基材８１側から入射する外光は、調光層８３により遮られる。調光部８の調光時には、その調光部８を備えるサブピクセルＳＰ１〜ＳＰ３、ひいてはメインピクセルＭＰは、ＯＬＥＤによる光をユーザ側に放射する一方で、第３透明基材８１側からの外光が遮られるため、コントラストが向上する。このような調光制御が表示部１０のうち駆動するメインピクセルＭＰにおいて行われることで、映像表示部分の表示品位を高めると共に、他の領域を透明領域とでき、視認性を確保できる表示装置１となる。
【００４０】
また、表示装置１は、ウィンドシールドディスプレイとされる場合には、例えば図７に示すように、表示品位の確保と安全性の確保との両立の観点から、表示部１０が３つの領域１０１〜１０３に区画されることが好ましい。
【００４１】
具体的には、例えば、表示部１０を映像表示および調光制御のいずれもなされない第１領域１０１と、映像表示のみが行われる第２領域１０２と、映像表示および調光制御が行われる第３領域１０３との３つの領域に区画する。
【００４２】
第１領域１０１は、常時、外界の視野を確保するための領域であり、例えば、図７に示すように、ウィンドシールドＶ１上に表示部１０を重畳した状態において、表示部１０のうち運転席および助手席に着座した乗員の正面に位置する所定の領域とされる。第１領域１０１では、ＯＬＥＤ層５および調光部８は、制御部１１により駆動しない制御がなされ、作動できない。
【００４３】
第２領域１０２は、外界の視野確保の優先のため、映像表示が行われる際の調光制御がなされない領域であり、図７に示すように、例えば表示部１０のうち第１領域１０１を囲む外側の領域とされる。第２領域１０１では、ＯＬＥＤ層５は、制御部１１により駆動制御がなされ、作動可能である。一方、調光部８は、第１領域１０１と同様に、制御部１１により駆動しない制御がなされ、作動できない。
【００４４】
第３領域１０３は、表示品位の確保の優先のため、映像表示および調光制御がなされる領域であり、第２領域１０２を隔てて第１領域１０１の外側に位置する領域とされる。第３領域１０３は、例えば、図７に示すように、ウィンドシールドＶ１のうち不図示のボンネットに隣接する下側の端部を含む領域、およびその反対側の上側の端部を含む領域と重畳する部分とされる。第３領域１０３では、ＯＬＥＤ層５および調光部８は、制御部１１によりいずれも駆動制御がなされ、作動可能である。
【００４５】
上記したように、３つの領域１０１〜１０３に区画された表示部１０とすることで、表示品位の確保と安全性の確保とが両立できる表示装置１とすることができる。なお、領域１０１〜１０３は、図７に示す例に限定されるものではなく、適宜、その配置関係や面積が変更されてもよい。
【００４６】
また、表示装置１は、例えば、次のような方法により製造され得る。まず、ガラス等によりなる支持基板上に、透明上部電極８５を真空成膜法で形成し、透明上部電極８５上にポリイミド等の透明樹脂材料を塗布する等の方法により第１透明基材２を形成した後、貫通配線を形成する。そして、この第１透明基材２の一面２ａ上に、任意の方法によりバリア層３、ＴＦＴ層４、ＯＬＥＤ層５を積層した後、接着材６を介して第２透明基材７をＯＬＥＤ層５の上に貼り付ける。続いて、例えばレーザーリフトオフ等の方法により、第２透明基材７が貼り付けられた第１透明基材２を支持基板から剥離した後、第３透明基材８１上に透明下部電極８２、調光層８３が積層されたものを位置合わせしつつ、接着材８４で貼り付ける。このようにして、表示装置１を製造することができる。
【００４７】
本実施形態によれば、複数の画素を構成するＯＬＥＤ素子と、これに連動してサブピクセル単位での駆動制御が可能な複数の調光部８と、を有してなる表示部１０を備える透明な表示装置１となる。そのため、映像を表示する領域を大きくしつつも、調光部８が作動中においても所定の透明領域を確保でき、調光部８よりも前方の外界の視野を確保できる表示装置１となる。
【００４８】
また、第１透明基材２の一面２ａ上に映像表示に用いられるＯＬＥＤ層５等が積層され、反対側の他面２ｂ上に調光部８が積層された構成とされることにより、調光部８を内蔵した透明ＯＬＥＤディスプレイとなる。言い換えると、表示装置１は、ＯＬＥＤ素子と調光部８とが第１透明基材２を挟んで一体化された構成となる。そのため、調光板と表示器とが別体で構成された従来の表示装置に比べて、調光部８を含めた全体の厚みが薄く、部品点数の少ない表示装置１となる。これにより、製造コストの低減効果が期待される。
【００４９】
（第１実施形態の変形例）
上記第１実施形態では、表示部１０がウィンドシールドＶ１のうち車室側の面上に配置された例について説明したが、図８に示すように、ウィンドシールドＶ１中に配置されてもよい。
【００５０】
表示部１０は、例えば、２枚のガラス基板Ｖ１１が樹脂材料によりなる中間膜を介して貼り合わせられた構成のウィンドシールドＶ１のうち当該２枚のガラス基板Ｖ１１との間に配置されていてもよい。この場合、表示部１０に取り付けられた配線Ｗ１、Ｗ２は、例えば、ウィンドシールドＶ１のうち中間膜が露出する端面側から引き出され、制御部１１に接続される。
【００５１】
本変形例によっても、上記第１実施形態と同様の効果が得られる。また、表示部１０がガラス基板Ｖ１１に挟まれた配置、言い換えると、ウィンドシールドＶ１に埋め込まれた配置とされることで、外部の水や酸素等により暴露されにくくなり、信頼性が向上する効果も期待される。
【００５２】
（他の実施形態）
本発明は、実施例に準拠して記述されたが、本発明は当該実施例や構造に限定されるものではないと理解される。本発明は、様々な変形例や均等範囲内の変形をも包含する。加えて、様々な組み合わせや形態、さらには、それらの一要素のみ、それ以上、あるいはそれ以下、を含む他の組み合わせや形態をも、本発明の範疇や思想範囲に入るものである。
【００５３】
（１）例えば、上記第１実施形態では、図１に示すように、ウィンドシールドＶ１のほぼ全面に表示部１０が配置された例を示しているが、これに限られず、表示部１０の面積やその配置については、適宜変更されてもよい。例えば、表示部１０は、公知のヘッドアップディスプレイ装置において映像が表示される領域の面積と同程度の面積とされ、ウィンドシールドＶ１のうち運転席の正面に位置する部分に配置されてもよいし、他の部分に配置されてもよい。
【００５４】
（２）上記第１実施形態では、表示装置１が自動車等の車両Ｖに搭載される例について説明したが、この例に限定されず、太陽光に晒される他の移動体、例えばバイク、電車、航空機などにも搭載され得ることは言うまでもない。
【００５５】
（３）上記第１実施形態では、表示装置１が可撓性のあるフィルム状とされた例について説明したが、これに限定されるものではない。例えば、ウィンドシールドＶ１等の透明部材と距離を隔てて配置される場合や曲面形状を有しない透明部材に貼り付けられる場合等には、表示装置１は、可撓性のない構成とされてもよい。この場合、透明基材２、７、８１のうち少なくとも１つは、例えばガラスなどの剛体とされる。
【００５６】
（４）表示装置１をウィンドシールドディスプレイ以外に適用する場合において、表示部１０を３つの領域１０１〜１０３で区画する場合であっても、表示部１０の搭載箇所や面積等に合わせて、各領域１０１〜１０３は、その配置や面積等が適宜変更され得る。
【００５７】
（５）調光部８は、例えば、車両Ｖに搭載された他の車載センサからの信号等に基づいて、必要な状況にのみ制御部１１により調光制御が実行されてもよい。例えば、車両Ｖに照度センサが搭載されている場合、制御部１１は、照度センサから照度データを取得し、表示部１０への日差しが強いとき（照度が所定以上のとき）に、調光部８の調光制御を実行してもよい。
【符号の説明】
【００５８】
２      （第１）透明基材
２ａ    一面
２ｂ    他面
５      ＯＬＥＤ層
８      調光部
１０１  第１領域
１０２  第２領域
１０３  第３領域
【図１】
2020154183.tif 000003
【図２】
2020154183.tif 000004
【図３】
2020154183.tif 000005
【図４】
2020154183.tif 000006
【図５】
2020154183.tif 000007
【図６】
2020154183.tif 000008
【図７】
2020154183.tif 000009
【図８】
2020154183.tif 000010